(57)【要約】【課題】ブリッスルが頭皮を擦る以外に捻ることや押し広げる等の頭皮表面を伸ばす作用を有しかつ頭皮を傷つけることのない、優れたマッサージ効果を有する安全な頭皮マッサージ用ブラシを提供する。【解決手段】頭皮に傷つけず優しい刺激を与えるためにブリッスルはエラストマーや合成ゴム等の柔軟かつ軟質な素材を用いて形成する。優れたマッサージ効果を得るためにブリッスルの頭皮への接触を多点接触とし、接触する多点が柔軟に屈曲する小突起によるものとする。好ましくは、ブリッスルの先端に溝を設け小突起を形成し、さらには、小突起の頭皮と接触する面に傾斜を持たせたり、各々の小突起の太さを変える。【選択図】図２
2005160684.tif 000002
【特許請求の範囲】
【請求項１】
少なくともブリッスルと基台と把持部から成る頭皮マッサージ用ブラシにおいて、ブリッスルの先端に頭皮に触れて柔軟に屈曲する複数の小突起が設置されたことを特徴とする頭皮マッサージ用ブラシ。
【請求項２】
ブリッスルの先端に溝が設けられ複数の小突起が形成される請求項１記載の頭皮マッサージ用ブラシ。
【請求項３】
ブリッスルを頭皮に押しつけた際に少なくとも一部の小突起どうしが互いに離れて開くように頭皮と接触する小突起の先端面に傾斜を持たせた、或いは小突起の太さが少なくとも２種類以上ある請求項１或いは２記載の頭皮マッサージ用ブラシ。
【発明の詳細な説明】
【技術分野】
【０００１】
本発明は、血行促進や育毛等のために行う、頭皮をマッサージするブラシに関する。
【背景技術】
【０００２】
従来、頭皮をブリッスルで叩きつけるものと擦りつけるものがある。前者は頭皮を叩くことで血行が促進され脱毛予防や育毛促進に効果があるとされ、ブリッスルにはエラストマー等の柔軟な素材を用いて直径数ｍｍ程の太径に形成したものや木製の太径或いは獣毛等が用いられ広く利用されているが、最近においては頭皮を叩くこと自体が毛細血管や毛根など種々の細胞から構成される皮下組織にダメージを与えるので問題があり頭髪に対しては脱毛につながると言われ、マッサージは叩くのではなく捻る揉む等の優しく頭皮を伸ばす行為が良いと指摘されている。後者は頭皮を擦ることで前述と同様の効果があるとされ利用されている。ブリッスルには大きく分けて前述同様の柔軟で太径のものと、獣毛や合成樹脂製モノフィラメントを用いた直径１ｍｍ未満程の硬質で細径のものがある。いずれのブリッスルにしてもマッサージにおける頭皮への刺激は、頭皮に接触するブリッスル先端の一点によるもので単調でありマッサージ効果としても高いものではない。また、硬質で細径のブリッスルは端面がエッジ状になっているものが多く、頭皮への刺激が強く頭皮を傷つける場合がある。端面をＲ状に処理することで対処もできるが、元々、硬質で細径のブリッスルは基台に植毛する工程が必要なうえに、端面処理をすればさらにコストがかかり商品が割高になる。
【特許文献１】特開平７−１４４０１２号公報
【特許文献２】実用新案登録３０６９６０４号公報
【特許文献３】特許３０７６３１３号公報
【発明の開示】
【発明が解決しようとする課題】
【０００３】
従来、頭皮マッサージ用ブラシは頭皮を叩く或いは擦る目的で造られており、捻るなどの頭皮を伸ばす作用は基台に設けられた多数のブリッスルが頭皮上で動作した際に付随的に若干得られる程度と思われ、少なくとも１本のブリッスルが頭皮を捻ることや押し広げるなどの頭皮を伸ばす作用を有するものは無かった。
【０００４】
本発明は、ブリッスルが頭皮を擦る以外に捻ることや押し広げる等の頭皮表面を伸ばす作用を有しかつ頭皮を傷つけることのない、優れたマッサージ効果を有する安全な頭皮マッサージ用ブラシを提供することである。
【課題を解決するための手段】
【０００５】
頭皮を傷つけず優しい刺激を与えるためにブリッスルはエラストマーや合成ゴム等の柔軟な素材を用いて形成する。優れたマッサージ効果を得るためにブリッスルの頭皮への接触を多点接触とし、接触する多点が柔軟に屈曲する小突起によるものとすることで、従来のブリッスルの先端１点のみによる接触では得られなかった捻ることや押し広げるなどの頭皮を伸ばす作用を得る。即ち、ブリッスルの先端に頭皮に触れて柔軟に屈曲する複数の小突起を設ける。詳しくは、１本のブリッスルが体積の多くを占める土台部とその先端に位置する小突起部から構成されることが重要であり、仮に基台から直接に小突起を複数個、密に突出させてもマッサージの際に頭髪に接触して容易に曲がり刺激もなく頭皮に達せず、仮に達したとしても小突起の長さが長くなるのでマッサージの際に各小突起が一様に撓り動き頭皮を捻ったり押し広げるなどの頭皮を伸ばす作用は殆ど生じない。土台部が小突起を頭皮まで導くガイドになり、小突起を無駄に長くせず撓る距離巾に近い長さとなることで捻るなどの頭皮を伸ばす作用を顕著に得ることができるので良い。さらには、小突起の長さは短過ぎると柔軟な屈曲を得ず、長過ぎると擦ることや特に捻る等の頭皮を伸ばす作用が極度に低下するので、好ましい小突起の長さとしてはおよそ小突起の平均太さの少なくとも２．５倍以上、長くても７倍以下とするのが良い。
【０００６】
好ましくは、ブリッスルの先端に溝を設けて小突起を形成するのが形状的にシンプルであり、ブリッスルと小突起の境に不必要な段差など生ぜず頭髪が絡まり難く、構造強度的にも無駄が無くブリッスルのコンパクト化が図られるので良い。
【０００７】
さらにマッサージの際に、各々の小突起が独自に撓り動くことが頭皮を捻るなどの作用が高まり好ましいので、ブリッスルを頭皮に押しつけた際に複数の小突起が互いに離れて開くように頭皮と接触することになる小突起の先端面に傾斜を持たせることや、各々の小突起の太さを全て同じにするのではなく少なくとも２種類以上とし曲げ剛性を変え撓り動く様を変えるのが良い。また、一部の小突起の長さを変えて撓り動く様を変え頭皮を伸ばす作用を得ることもできるが顕著な効果は無いことと長さが大きく違えば短い小突起でマッサージされないこともあるので強く勧められるものではない。
【発明の効果】
【０００８】
本発明の頭皮マッサージ用ブラシは、１本のブリッスルが頭皮を擦る作用の他に捻ることや押し広げる等の頭皮を伸ばす作用を有するのでブリッスル先端が接触する小さなエリアに優しく効果的なマッサージ効果を与えることができ、さらには基台に設置されたブリッスルの数だけ広域に多点で多量に、即ち密度の濃い優れたマッサージ効果を頭皮に与えることができる。とともに、柔軟な素材で成形されたブリッスルが頭皮を優しく刺激し傷付けることがない安全に使用できる頭皮マッサージ用ブラシを提供することができる。
【発明を実施するための最良の形態】
【０００９】
以下に本発明の実施例を図面に基づいて説明する。図１は本発明の実施例１の頭皮マッサージ用ブラシの斜視図。図２は図１のブリッスルの斜視図。図３は図１のブリッスルの正面及び側面図。図４は図１のブリッスルの上面図。図５は図１のブリッスルが頭皮に押しつけられた際の状態を示す参考図。図６は本発明の頭皮マッサージ用ブラシに用いる実施例２のブリッスルの正面図。図７は図６のブリッスルの上面図である。
【実施例１】
【００１０】
図１について説明すれば、本発明の頭皮マッサージ用ブラシはブリッスル１と基台２及び把持部３から成り、ブリッスル１は頭皮を傷つけないようにエラストマーやゴム等の柔軟な素材から、基台２と把持部３は合成樹脂や木等の素材から形成すれば良い。ブリッスル１の素材として詳しくは、例えばエラストマーではＳＢＳやＳＥＢＳに代表されるスチレン系、ＥＰＤＭに代表されるオレフィン系など、その他熱可塑性樹脂として超低分子量ＰＥやＥＶＡなど、合成ゴムではＳＢＲやＮＢＲ、ポリブタジエンやＩＩＲ、ＥＰＲやシリコーンゴム等など多くの種類があるが、目安として曲げ弾性率が１００ＭＰａ以下で表面硬度［ショアＡ］が７０以下の素材にするのが良い。ブリッスル１と基台２及び把持部３は各々個別に成形し組立てれば良いが、例えば基台２と把持部３を一体に成形し基台２に設けた凹部にブリッスル１を圧入嵌合することもできるし、エラストマーでブリッスル１と一体に成形した円盤状の基台２を皿状に形成した把持部３の周縁部にクッション性を有するように嵌合設置するなどすれば、生産性や機能においてさらに優れたものになるので良い。
【００１１】
図２から５について説明すれば、略四角柱のブリッスル１先端に十字に溝５を設け４本の略四角柱の小突起４を形成する。ブリッスル１や小突起４の角には少なくとも小さなＲをつけ、櫛通りを良くし頭髪へのダメージを支障の無いものとする。溝５の巾や深さは、小突起４の長さを小突起４の平均太さの２．５倍以上７倍以下にすることと用いる素材の曲げ剛性を考慮し設計するのが良い。ブリッスル１側面は溝５を除いて段差は無く平滑で頭髪が絡み難いので好ましい。頭皮を捻るなどの頭皮を伸ばす作用を促進するために、マッサージの際に各小突起４が違う方向に撓ったり撓る度合いを変えることが好ましいので、頭皮と接触する小突起４の先端面には、ブリッスル１を頭皮に押しつけた際に各々の小突起４が互いに離れて開くように傾斜を持たせるのが良い。
【００１２】
図６と７について説明すれば、テーパのついた楕円形ブリッスル１の先端に太径と細径の円柱状小突起４をそれぞれ１本設ける。マッサージの際に各小突起４が独自の撓りをすることで頭皮を捻るなどの作用を高めるので良い。このように、ブリッスル１及び小突起４の形状は特に限定するものではない。
【図面の簡単な説明】
【００１３】
【図１】本発明の頭皮マッサージ用ブラシ示す斜視図。（実施例１）
【図２】図１のブリッスルの斜視図。（実施例１）
【図３】図１のブリッスルの正面及び側面図。（実施例１）
【図４】図１のブリッスルの上面図。（実施例１）
【図５】図１のブリッスルが頭皮に押しつけられた際の状態を示す参考図。（実施例１）
【図６】本発明の頭皮マッサージ用ブラシに用いる実施例２のブリッスルの正面図。（実施例２）
【図７】図６のブリッスルの上面図。（実施例２）
【符号の説明】
【００１４】
１    ブリッスル
２    基台
３    把持部
４    小突起
５    溝
６    傾斜
【図１】
2005160684.tif 000003
【図２】
2005160684.tif 000004
【図３】
2005160684.tif 000005
【図４】
2005160684.tif 000006
【図５】
2005160684.tif 000007
【図６】
2005160684.tif 000008
【図７】
2005160684.tif 000009